(57)【要約】【課題】入力端子を所定の論理レベルに設定することによって、電磁リレーの接点接続を保持および切替ができるリレー駆動回路を提供する。【解決手段】本発明のリレー駆動回路１０１は、入力端子１１への入力電圧Ｓ１０の論理レベルを第１または第２の論理レベルに適宜に切り替えることにより、第１または第２のコイル駆動信号生成回路２０，３０が、単一パルス状の第１または第２のコイル駆動信号Ｓ１３，Ｓ２３を出力し、２巻線ラッチング形の電磁リレー４０の第１または第２の駆動コイル４１，４２を励磁し、共通接点４０ｃを第１の接点４０ａまたは第２の接点４０ｂに自動的に接続し、あるいは、共通接点４０ｃを第１の接点４０ａまたは第２の接点４０ｂから自動的に切り離すことができる。したがって、電流を継続して流さなくとも、接点接続状態を一定に保持でき、必要な場合には、接点接続状態を任意に変更することができる。【選択図】        図１
2004362944.tif 000002
【特許請求の範囲】
【請求項１】
入力端子に印加される入力電圧の論理レベルの変化に応じて第１または第２の出力端子からパルス状の第１または第２のコイル駆動信号をそれぞれ出力し、出力した第１または第２のコイル駆動信号で２巻線ラッチング形の電磁リレーの第１または第２の駆動コイルを励磁して電磁リレーの第１の接点または第２の接点を共通接点に接続させるリレー駆動回路であって、
入力端子に印加される入力電圧の論理レベルに対応する論理レベルを有する第１の設定電圧と、第１の設定電圧とは逆の論理レベルを有する第２の設定電圧とをそれぞれ生成する設定電圧生成回路と、
第１の設定電圧を入力し、第１の設定電圧が第１の論理レベルから第２の論理レベルに変化する変化エッジに対応して、パルス状の第１のコイル駆動信号を出力し、前記電磁リレーの第１の接点を共通接点に接続させる第１のコイル駆動信号生成回路と、
第２の設定電圧を入力し、第２の設定電圧が第１の論理レベルから第２の論理レベルに変化する変化エッジに対応して、パルス状の第２のコイル駆動信号を出力し、前記電磁リレーの第２の接点を共通接点に接続させる第２のコイル駆動信号生成回路とを有するリレー駆動回路。
【発明の詳細な説明】
【０００１】
【発明の属する技術分野】
本発明はリレー駆動回路に関し、特に、ある条件が成立したとき電磁リレーの第１の接点を共通接点に接続し、他方の条件が成立したときに第２の接点を共通接点に接続するように切り替えるリレー駆動回路に関する。
【０００２】
【従来の技術】
この種のリレー駆動回路においては、リレーの駆動コイルに電流が流れていない状態を定常状態とし、例えば、第１の接点が共通接点に接続される。駆動コイルに電流が流されると、第１の接点と共通接点との接続は切り離され、第２の接点が共通接点に接続される。このように用いられるリレーをシングルステイブル形リレーと呼んでいて、例えば「自動火災報知機」に用いられているものが知られている（例えば特許文献１参照）。
【０００３】
【特許文献１】
特開平９−１８００７５号公報
【０００４】
【発明が解決しようとする課題】
このようなリレーにおいて第２の接点と共通接点との接続を保持するためには、駆動コイルに電流を流し続ける必要があるので、電力を相当に消費し、周囲温度との関係もあるが、リレーの寿命を短くしてしまうという問題がある。従来のリレー駆動回路は、第１または第２の接点と共通接点との接続を保持する必要があり、かつ、第１または第２の接点のどちらを共通接点と接続し続けるか事前には予測できないような場合の問題解決方法として、ラッチング形リレーを使用することが考えられる。ラッチング形リレーを使用する場合には、駆動コイルに所定の時間幅をもつパルス状のコイル駆動信号を流すことによって第１の接点または第２の接点を共通接点に切替接続させることができ、接続させた後はコイル駆動信号を与えなくとも接点間の接続を保持することができるので上述の問題は無くなる。
【０００５】
本発明は、上記の問題を解決するためになされたものであって、第１または第２の接点と、共通接点との接続を保持する必要があり、かつ、第１または第２の接点のどちらを共通接点と接続し続けるか事前には予測できず、また、運用中に第１または第２の接点と、共通接点との接続を任意に設定する必要がある場合に対応できるように、入力端子の電圧を所定の論理レベルに設定することによって、ラッチング形電磁リレーの第１または第２の接点を共通接点に自在に接続させることができるリレー駆動回路を提供することを目的とする。
【０００６】
【課題を解決するための手段】
前述した課題を解決するために、本発明は、入力端子に印加される入力電圧の論理レベルの変化に応じて第１または第２の出力端子からパルス状の第１または第２のコイル駆動信号をそれぞれ出力し、出力した第１または第２のコイル駆動信号で２巻線ラッチング形の電磁リレーの第１または第２の駆動コイルを励磁して電磁リレーの第１の接点または第２の接点を共通接点に接続させるリレー駆動回路であって、入力端子に印加される入力電圧の論理レベルに対応する論理レベルを有する第１の設定電圧と、第１の設定電圧とは逆の論理レベルを有する第２の設定電圧とをそれぞれ生成する設定電圧生成回路と、第１の設定電圧を入力し、第１の設定電圧が第１の論理レベルから第２の論理レベルに変化する変化エッジに対応して、パルス状の第１のコイル駆動信号を出力し、前記電磁リレーの第１の接点を共通接点に接続させる第１のコイル駆動信号生成回路と、第２の設定電圧を入力し、第２の設定電圧が第１の論理レベルから第２の論理レベルに変化する変化エッジに対応して、パルス状の第２のコイル駆動信号を出力し、前記電磁リレーの第２の接点を共通接点に接続させる第２のコイル駆動信号生成回路とを有する。
【０００７】
このような構成によれば、リレー駆動回路の入力端子に印加する入力電圧の論理レベルを第１または第２の論理レベルに適宜に選択することにより、第１または第２のコイル駆動信号生成回路が、２巻線ラッチング形の電磁リレーの第１または第２の駆動コイルを励磁し、共通接点を第１の接点または第２の接点に自動的に接続し、あるいは、共通接点を第１の接点または第２の接点から自動的に切り離すことができる。したがって、入力端子の電圧を所定の論理レベルに設定することによって、電磁リレーの第１または第２の接点と、共通接点との接続を保持する必要があり、かつ、第１または第２の接点のどちらを共通接点と接続し続けるか事前には予測できず、また、運用中に第１または第２の接点と、共通接点との接続を任意に設定する必要がある場合に対応することが可能であり、ラッチング形電磁リレーの第１または第２の接点を共通接点に自在に接続させることができる。
【０００８】
【発明の実施の形態】
以下、本発明の実施の形態について添付図面に基づいて説明する。図１は、本発明のリレー駆動回路の第１の実施の形態を示すブロック図、図２は、図１に示される第１，第２のパルス生成集積回路の動作に対応する真理値表を説明するための図、図３は、図１で示されるリレー駆動回路がどのように使用されるかを例示するために、無線通信装置の高周波増幅部に対して、追加の高周波増幅ユニットが離脱可能に装着されている状態を説明するための図、図４は、本発明のリレー駆動回路の第２の実施の形態を示すブロック図、図５は、図４で示されるリレー駆動回路がどのように使用されるかを例示するために、無線通信装置の高周波増幅部に対して、追加の高周波増幅ユニットが離脱可能に装着されている状態を説明するための図である。
【０００９】
（第１の実施の形態）
図１で示されるリレー駆動回路１０１は、設定電圧生成回路１０と、第１のコイル駆動信号生成回路２０と、第２のコイル駆動信号生成回路３０とから構成され、２巻線ラッチング形電磁リレー４０の接点接続を切り替える。設定電圧生成回路１０は、一端が入力端子１１に、他端が電源ＶＤＤにそれぞれ接続された抵抗Ｒ１１と、入力端が入力端子１１に接続されたインバータ１２と、入力端がインバータ１２の出力端に接続されたインバータ１３とを有する。入力端子１１に印加される入力電圧Ｓ１０は、インバータ１２によって論理レベルを反転され、第１の設定電圧Ｓ１１として出力される。また、第１の設定電圧Ｓ１１は、インバータ１３によって、さらに論理レベルを反転され第２の設定電圧Ｓ２１として出力される。
【００１０】
第１のコイル駆動信号生成回路２０は、リセット端子ＲＥＳＥＴがインバータ１２の出力端に接続された第１のパルス生成集積回路２１と、パルス生成集積回路２１の出力端子Ｑからの第１のパルス出力Ｓ１２（単一のパルス）を増幅して第１の駆動信号出力端子２９から第１のコイル駆動信号Ｓ１３を出力し、ラッチング形電磁リレー４０の第１の駆動コイル４１を励磁する第１の増幅器２２とを有する。この場合、第１のパルス生成集積回路２１の端子Ａは抵抗Ｒ２１を介してグランドに、端子Ｂは抵抗Ｒ２２を介して電源ＶＤＤに、端子ＣＸはコンデンサＣ２１を介して端子ＲＸ＿ＣＸに、端子ＲＸ＿ＣＸは抵抗Ｒ２３を介して電源ＶＤＤにそれぞれ接続されている。上述のように、第１のコイル駆動信号Ｓ１３によって第１の駆動コイル４１が励磁されると、電磁リレー４０の第１の接点４０ａと共通接点４０ｃとが接続状態にされ、第２の接点４０ｂと共通接点４０ｃとは切り離される。
【００１１】
なお、上述の第１のパルス生成集積回路２１におけるコンデンサＣ２１および抵抗Ｒ２３は、出力端子Ｑから出力される第１のパルス出力Ｓ１２および第１のコイル駆動信号Ｓ１３のパルス幅を決定している。このパルス幅ＰＷは、電磁リレー４０の第１の駆動コイル４１の応答時間よりも充分に長くなるように設定されている。例えば、コンデンサＣ２１が０．１μＦで抵抗Ｒ２３が３３０ｋΩの場合には、パルス幅ＰＷは約３３ｍｓｅｃとなる。このような接続状態における第１のパルス生成集積回路２１の動作は、図２に示す真理値表の通りであって、端子Ａは論理レベルがロウ“Ｌ”に、端子Ｂは論理レベルハイ“Ｈ”に設定されているので、図２の“＃”が記されている部分のように、リセット端子ＲＥＳＥＴに印加される信号の立ち上がりエッジに対応して出力端子Ｑから所定のパルス幅をもった正極性の第１のパルス出力Ｓ１２（および第１のコイル駆動信号Ｓ１３）が出力される。
【００１２】
また、第２のコイル駆動信号生成回路３０は、リセット端子ＲＥＳＥＴがインバータ１３の出力端に接続された第２のパルス生成集積回路３１と、パルス生成集積回路３１の出力端子Ｑからの第２のパルス出力Ｓ２２を増幅して第２の駆動信号出力端子３９から第２のコイル駆動信号Ｓ２３を出力し、ラッチング形電磁リレー４０の第２の駆動コイル４２を励磁する第２の増幅器３２とを有する。この場合、第２のパルス生成集積回路３１の端子Ａは抵抗Ｒ３１を介してグランドに、端子Ｂは抵抗Ｒ３２を介して電源ＶＤＤに、端子ＣＸはコンデンサＣ３１を介して端子ＲＸ＿ＣＸに、端子ＲＸ＿ＣＸは抵抗Ｒ３３を介して電源ＶＤＤにそれぞれ接続されている。上述のように、第２のコイル駆動信号Ｓ２３によって第２の駆動コイル４２が励磁されると、第２の接点４０ｂと共通接点４０ｃとが接続状態にされ、第１の接点４０ａと共通接点４０ｃとが切り離される。
【００１３】
また、上述の第２のパルス生成集積回路３１におけるコンデンサＣ３１および抵抗Ｒ３３は、第１のパルス生成集積回路２１におけると同様に、第２のパルス出力Ｓ２２（および第２のコイル駆動信号Ｓ２３）のパルス幅ＰＷを決定している。したがって、このような接続状態における第２のパルス生成集積回路３１の動作は、第１のパルス生成集積回路２１の動作と同じであって、第２のパルス生成集積回路３１のリセット端子ＲＥＳＥＴに印加される第２の設定電圧の立ち上がりエッジに対応して出力端子Ｑから所定のパルス幅をもった正極性の第２のパルス出力Ｓ２２（第２のコイル駆動信号Ｓ２３）が出力される。なお、上述の第１，第２のパルス生成集積回路２１，３１としては、標準論理ＩＣとして知られている  Ｄｕａｌ  Ｒｅｔｒｉｇｇｅｒａｂｌｅ  Ｍｏｎｏｓｔａｂｌｅ  Ｍｕｌｔｉｖｉｂｒａｔｏｒ  が使用可能であって、高速ＣＭＯＳ標準論理ＩＣでは  ７４ＨＣ１２３  に各製造業者毎に固有のコードを付加した番号のものが入手可能である。
【００１４】
次に、上述した図１のリレー駆動回路１０１がどのように使用されるかの例について図３を参照して説明する。図３は、無線通信装置の高周波増幅部に対して、追加の高周波増幅ユニットが離脱可能に装着されている状態を示している。高周波増幅部２０１は、高周波増幅ユニット２１１と、図１で示されたリレー駆動回路１０１および２巻線ラッチング形電磁リレー４０と、高周波増幅ユニット２１１の出力と電磁リレー４０の共通端子４０ｃからの信号とを合成して出力端子１１３に出力する電力合成器２１３とを有する。高周波増幅ユニット２１１は、入力端子１１１に印加される高周波信号を増幅する増幅器２１１ａを含み、追加装着される高周波増幅ユニット２１２は、入力端子１１２に印加される高周波信号を増幅する増幅器２１２ａと、グランド接続端子２１２ｂとを含んでいる。この場合、両方の高周波増幅ユニット２１１，２１２を着脱自在に構成するのが好ましく、また、両者の製造方法を統一して容易になるように、高周波増幅ユニット２１１を高周波増幅ユニット２１２と同じ構成にして、高周波増幅ユニット２１１としては不使用のグランド接続端子を含むようにしてもよい。
【００１５】
図３の例において、高周波増幅ユニット２１２が装着されていない状態のときに、高周波増幅ユニット２１２が装着されると、リレー駆動回路１０１の入力端子１１は、グランド端子２１２ｂを介してグランドに接続される。したがって、リレー駆動回路１０１の入力端子１１に対する入力電圧Ｓ１０の論理レベルは、“Ｈ”から“Ｌ”に変化する。この変化に対応して、第１の設定電圧Ｓ１１は、“Ｌ”から“Ｈ”に立ち上がり、第２の設定電圧Ｓ２１は、“Ｈ”から“Ｌ”に立ち下がる。このことにより、出力端２９に第１のコイル駆動信号Ｓ１３が出力されて電磁リレー４０の第１の駆動コイル４１が励磁され、第１の接点４０ａが共通接点４０ｃに接続される。したがって、電力合成器２１３は、高周波増幅ユニット２１１の出力と、高周波増幅ユニット２１２の出力とを合成して出力端子１１３に出力する。
【００１６】
上述のように高周波増幅ユニット２１２が高周波増幅部２０２に装着されているときに、高周波増幅ユニット２１２が高周波増幅器２０２から引き抜かれると、リレー駆動回路１０１の入力端子１１は、開放状態になり電源電圧ＶＤＤの電位に引き上げられる。したがって、リレー駆動回路１０１の入力端子１１に対する入力電圧Ｓ１０の論理レベルは、“Ｌ”から“Ｈ”に変化する。この変化に対応して、第１の設定電圧Ｓ１１は、“Ｈ”から“Ｌ”に立ち下がり、第２の設定電圧Ｓ１２は、“Ｌ”から“Ｈ”に立ち上がる。このことにより、第２の駆動信号出力端子３９に第２のコイル駆動信号Ｓ１３が出力されて電磁リレー４０の第２の駆動コイル４２が励磁され、第２の接点４０ｂが共通接点４０ｃに接続される。したがって、それまで電力合成器２１３に増幅器２１２ａが接続されていたラインは、特性インピーダンスで終端される。このように終端する理由は、もしも特性インピーダンスで終端せずに電力合成器の一方を開放にすると、他方の電力反射の周波数特性などに乱れを生じさせる場合があるからである。
【００１７】
（第２の実施の形態）
次に、図４を参照して本発明の第２の実施の形態について説明する。図４で示されるリレー駆動回路１０２は、設定電圧生成回路５０と、第１のコイル駆動信号生成回路６０と、第２のコイル駆動信号生成回路７０と、加算回路８０とから構成され、１巻線ラッチング形電磁リレー９０の接点接続を切り替える。設定電圧生成回路５０は、一端が入力端子５１に、他端が電源ＶＤＤにそれぞれ接続された抵抗Ｒ５１と、入力端が入力端子５１に接続され、入力端子５１に印加される入力電圧Ｔ１０の論理レベルを反転させて第１の設定電圧Ｔ１１を出力するインバータ５２と、入力端がインバータ５２の出力端に接続され、第１の設定電圧Ｔ１１の論理レベルを反転させて第２の設定電圧Ｔ２１を出力するインバータ５３とを有する。
【００１８】
第１のコイル駆動信号生成回路６０は、リセット端子ＲＥＳＥＴがインバータ５２の出力端に接続された第１のパルス生成集積回路６１と、パルス生成集積回路６１の出力端Ｑから出力される第１のパルス出力Ｔ１２を増幅して第１の出力端子６９から第１のコイル駆動信号Ｔ１３を出力する第１の増幅器６２とを有する。この場合、第１のパルス生成集積回路６１の端子Ａは抵抗Ｒ６１を介してグランドに、端子Ｂは抵抗Ｒ６２を介して電源ＶＤＤに、端子ＣＸはコンデンサＣ６１を介して端子ＲＸ・ＣＸに、端子ＲＸ・ＣＸは抵抗Ｒ６３を介して電源ＶＤＤにそれぞれ接続されている。このような接続状態における第１のパルス生成集積回路６１の動作は、図１で示した第１のパルス生成集積回路２１と同様の動作を行う。すなわち、リセット端子ＲＥＳＥＴに印加される信号の立ち上がりエッジに対応して正極性の第１のパルス出力Ｔ１２を出力する。
０４／１０
【００１９】
第２のコイル駆動信号生成回路７０は、リセット端子ＲＥＳＥＴがインバータ５３の出力端に接続された第２のパルス生成集積回路７１と、パルス生成集積回路７１の出力端Ｑからの第２のパルス出力Ｔ２２を増幅し、論理を反転して第２の出力端子７９から第２のコイル駆動信号Ｔ２３を出力する第２の増幅器７２とを有する。この場合、第２のパルス生成集積回路７１は、第１のパルス生成集積回路６１と同じ働きをするが、第２の増幅器７２は、第２のパルス出力Ｔ２２を反転増幅するように抵抗Ｒ７４，Ｒ７５，Ｒ７６によるバイアスが与えられている。
【００２０】
加算回路８０は、抵抗Ｒ８３，Ｒ８４によってバイアスを与えられた増幅器８１と、第１，第２の出力端からの第１，第２のコイル駆動信号Ｔ１３，Ｔ２３を増幅器８１の入力端に供給する抵抗Ｒ８１，Ｒ８２とを有する。この場合、第１，第２の出力端６９，７９からの第１，第２のコイル駆動信号Ｔ１３，Ｔ２３は、同時には発生せず一方のみが発生することはいううまでもない。入力端子５１における入力電圧Ｔ１０が“Ｈ”から“Ｌ”に変化すると、加算回路８０は、第１の出力端６９からの正極性の第１のコイル駆動信号Ｔ１３を受け取り、出力端８９から正極性のコイル駆動信号ＴＤＶを出力し、電磁リレー９０の駆動コイル９１を励磁する。駆動コイル９１が正極性のコイル駆動信号ＴＤＶによって駆動されると、第１の接点９０ａと共通接点９０ｃとが接続状態にされ、第２の接点９０ｂと共通接点４０ｃとが切り離される。また、入力端子５１における入力電圧Ｔ１０が“Ｌ”から“Ｈ”に変化すると、加算回路８０は、第２の出力端７９からの負極性の第２のコイル駆動信号Ｔ２３を受け取り、出力端８９から負極性のコイル駆動信号ＴＤＶを出力し、電磁リレー９０の駆動コイル９１を励磁する。駆動コイル９１が負極性のコイル駆動信号ＴＤＶによって駆動されると、第２の接点９０ｂと共通接点９０ｃとが接続状態にされ、第１の接点９０ａと共通接点４０ｃとが切り離される。
【００２１】
次に、上述した図４のリレー駆動回路がどのように使用されるかの例について図５を参照して説明する。図５は、図３の例と同様に、無線通信装置の高周波増幅部に対して、追加の高周波増幅ユニットが離脱可能に装着されている状態を示している。高周波増幅部２０２は、高周波増幅ユニット２１１と、図４で示されたリレー駆動回路１０２および１巻線ラッチング形電磁リレー９０と、高周波増幅ユニット２１１の出力と電磁リレー９０の共通端子４０ｃからの信号とを合成して出力端子１１３に出力する電力合成器２１３とを有する。この高周波増幅部２０２は、２巻線ラッチング形電磁リレー４０およびリレー駆動回路１０１の代わりに１巻線ラッチング形電磁リレー９０およびリレー駆動回路１０２を使用する点を除けば、図３のものと同様の目的を果たすことができる。
【００２２】
図５の例において、高周波増幅ユニット２１２が装着されていない状態のときに、高周波増幅ユニット２１２が高周波増幅部２０２に装着されると、リレー駆動回路１０２の入力端子５１は、グランド端子２１２ｂを介してグランドに接続される。したがって、リレー駆動回路１０２の入力端子５１に対する入力電圧Ｔ１０の論理レベルは、“Ｈ”から“Ｌ”に変化する。この変化に対応して、第１の設定電圧Ｔ１１は、“Ｌ”から“Ｈ”に立ち上がり、第２の設定電圧Ｔ２１は、“Ｈ”から“Ｌ”に立ち下がる。このことにより、加算回路８０の出力端８９からは正極性のコイル駆動信号ＴＤＶが出力されて電磁リレー９０の駆動コイル９１が励磁され、第１の接点９０ａが共通接点９０ｃに接続される。したがって、電力合成器２１３は、高周波増幅ユニット２１１の出力と、高周波増幅ユニット２１２の出力とを合成して出力端子１１３に出力する。
【００２３】
上述のように、高周波増幅ユニット２１２が高周波増幅部２０２に装着されているときに、高周波増幅ユニット２１２が高周波増幅部２０２から引き抜かれると、リレー駆動回路１０２の入力端子５１は、開放状態になり電源電圧ＶＤＤの電位に引き上げられる。したがって、リレー駆動回路１０２の入力端子５１に対する入力電圧Ｔ１０の論理レベルは、“Ｌ”から“Ｈ”に変化する。この変化に対応して、第１の設定電圧Ｔ１１は、“Ｈ”から“Ｌ”に立ち下がり、第２の設定電圧Ｔ２１は、“Ｌ”から“Ｈ”に立ち上がる。このことにより、第２のパルス生成集積回路７１から正極性の第２のパルス出力Ｔ２２が出力され、増幅器７２により論理反転され第２のコイル駆動信号Ｔ２３として出力される。加算回路８０は、第２のコイル駆動信号Ｔ２３を第２のコイル駆動信号生成回路７０から受け取り、負極性のコイル駆動信号ＴＤＶを出力して電磁リレー９０の駆動コイル９１を励磁する。この励磁により、第２の接点９０ｂと共通接点９０ｃとが接続され、第１の接点９０ａと共通接点９０ｃとが切り離される。なお、上述した図１および図４で示される増幅器２２，３２，６２，７２，８１による増幅率は“１”であることを前提として説明しているが、電磁リレー４０，９０に対する駆動電圧が他の増幅率に設定する必要があるときには、その増幅率に合致するように設定する必要があることはいうまでもない。
【００２４】
【発明の効果】
本発明のリレー駆動回路は、以上において説明したように構成されているので、入力端子１１に印加する入力電圧Ｓ１０の論理レベルを第１または第２の論理レベルに適宜に切り替えることにより、第１または第２のコイル駆動信号生成回路２０，３０が、２巻線ラッチング形の電磁リレー４０の第１または第２の駆動コイル４１，４２を励磁し、共通接点４０ｃを第１の接点４０ａまたは第２の接点４０ｂに自動的に接続し、あるいは、共通接点４０ｃを第１の接点４０ａまたは第２の接点４０ｂから自動的に切り離すことができる。したがって、入力端子を所定の論理レベルに設定することによって、電磁リレーの接点接続を保持する必要があり、かつ、第１または第２の接点のどちらを共通接点と接続し続けるか事前には予測できず、また、運用中に第１または第２の接点と、共通接点との接続を任意に設定する必要がある場合に、電磁リレーに電流を継続して流さなくても対応することが可能であり、ラッチング形電磁リレーの第１または第２の接点を共通接点に自在に接続させることができる。
【図面の簡単な説明】
【図１】本発明のリレー駆動回路の第１の実施の形態を示すブロック図である。
【図２】図１に示される第１，第２のパルス生成集積回路の動作に対応する真理値表を説明するための図である。
【図３】図１で示されるリレー駆動回路がどのように使用されるかを例示するために、無線通信装置の高周波増幅部に対して、追加の高周波増幅ユニットが離脱可能に装着されている状態を説明するための図である。
【図４】本発明のリレー駆動回路の第２の実施の形態を示すブロック図である。
【図５】図４で示されるリレー駆動回路がどのように使用されるかを例示するために、無線通信装置の高周波増幅部に対して、追加の高周波増幅ユニットが離脱可能に装着されている状態を説明するための図である。
【符号の説明】
１０    設定電圧生成回路
１１，５１    入力端子
１２，１３，５２，５３    インバータ
２０，６０    第１のコイル駆動信号生成回路
２１，６１    第１のパルス生成集積回路
２２，３２，６２，７２，８１    増幅器
２９，６９    第１の駆動信号出力端子
３０，７０    第２のコイル駆動信号生成回路
３１    第２のパルス生成集積回路
３９，７９    第２の駆動信号出力端子
４０    ２巻線ラッチング形電磁リレー
４０ａ，９０ａ    第１の接点
４０ｂ，９０ｂ    第２の接点
４０ｃ，９０ｃ    共通接点
４１    第１の駆動コイル
４２    第１の駆動コイル
８０    加算回路
９０    １巻線ラッチング形電磁リレー
９１    駆動コイル
１０１，１０２    リレー駆動回路
２０１，２０２    高周波増幅部
２１１，２１２    高周波増幅ユニット
２１３    電力合成器
【図１】
2004362944.tif 000003
【図２】
2004362944.tif 000004
【図３】
2004362944.tif 000005
【図４】
2004362944.tif 000006
【図５】
2004362944.tif 000007